(57)【特許請求の範囲】
【請求項１】
第１の画面表示と、該第１の表示画面よりも小さい領域で表示する第２の画面表示と、を含む複数の画面を１つの表示部に表示することができる多画面表示機能を備えたテレビジョン受信装置であって、
前記第２の画面表示に対してメッセージ表示を行うか、またはメッセージの重要度を基準にした標識を前記第２の画面表示の領域全体に表示させる標識表示制御部を有し、
前記標識表示制御部は、当該テレビジョン受信装置において多画面表示中であるか否かを判定し、
前記標識表示制御部は、
多画面表示中である場合には、前記第２の表示画面に前記標識を表示させるか、または前記第２の表示画面の縮小率に基づいて拡大した文字サイズでメッセージを表示させるように指示し、
多画面表示中でない場合には、前記第２の表示画面にメッセージをそのままを表示させるように指示することを特徴とするテレビジョン受信装置。
【請求項２】
前記メッセージと前記標識との対応関係をメモリに保持し、
前記標識表示制御部は、前記メモリの対応関係を参照して、追加の操作の必要性を重要度の基準としメッセージに代わる標識を表示させることを特徴とする請求項１に記載のテレビジョン受信装置。
【請求項３】
第１の画面表示と、該第１の表示画面よりも小さい領域で表示する第２の画面表示と、を含む複数の画面を１つの表示部に表示することができる多画面表示機能を備えたテレビジョン受信装置と、
該テレビジョン受信装置との間でコマンドを双方向通信可能な通信機能と、少なくとも前記第２の画面表示を行わせるための信号を前記テレビジョン受信装置に提供する機能と、を備えた外部機器であって、該外部機器により前記第２の表示画面に表示をさせている場合に、前記第２の画面表示に対してメッセージ表示を行わせるか、またはメッセージの重要度を基準にした標識を前記第２の画面表示の領域全体に表示させる標識表示制御部を備えた外部機器と
を有し、
前記外部機器が、前記通信機能を利用して、前記テレビジョン受信装置に対して前記第２の表示画面の縮小率を問い合わせ、応答された前記縮小率が予め定められた値以下であるか否かを判断し、
前記外部機器が、
前記縮小率が前記予め定められた値以下である場合には、前記第２の表示画面に前記標識を表示させるか、または前記縮小率に基づいて拡大した文字サイズでメッセージを表示させるように指示し、
前記縮小率が前記予め定められた値を越えている場合には、前記第２の表示画面にメッセージをそのままを表示させるように指示することを特徴とする表示システム。
【発明の詳細な説明】
【技術分野】
【０００１】
本発明は、テレビジョン受信装置に関し、特に、多画面表示可能なテレビジョン受信装置におけるメッセージ表示技術に関する。
【背景技術】
【０００２】
テレビジョン受信装置の大画面化と放送形態の多様化等に伴って、１表示画面中に複数の情報の画面表示を行う、いわゆる多画面表示が可能な装置も多くなってきている。１表示画面中に複数の画面表示を行う方法としては、後述するように、複数のチューナからのテレビ放送を取得して並べて表示させる、いわゆる多画面テレビ機能を用いる方法、テレビ放送に基づく表示と外部入力端子から入力される信号に基づく表示と重ね合わせて同時に行ういわゆるＰｉｎＰ機能を用いる方法などがある。
【０００３】
このような多画面表示装置において、一方の画面にメッセージを表示させる技術がある。このようなメッセージ表示において問題となるのは、図８に示すように、表示部１０１の子画面１０３が小さすぎてメッセージ１０５を読みとれる程度の領域を確保できない場合に（左図）、子画面１０３の領域を超えてメッセージを拡大表示させると（１０７）、メイン画面にわたって表示させることになり、メイン画面の視聴が遮られることである。このような問題を解決するための技術としては、例えば、下記特許文献１に記載の技術がある。
【０００４】
特許文献１に記載の技術は、ＰｉｎＰなどの多画面表示の際に、子画面側のサブ情報(字幕)の有無を調べ、サブ情報がある場合には、画面上に「＊」などの表示を行う技術を開示するものである。この技術によれば、メイン画面をさえぎることなく子画面側のサブ情報の有無をユーザに通知することができる。
【０００５】
【特許文献１】特開２００５−３４１１０６号公報
【発明の開示】
【発明が解決しようとする課題】
【０００６】
しかしながら、上記特許文献１に記載の方法によると、子画面上にはサブ情報(字幕)の有無を示す表示のみがなされるため、拡大表示してみないと情報の内容に関してはわからないという問題がある。また、子画面が外部入力機器からの情報に基づくものである場合に、外部入力機器側では子画面表示されていることかどうかを認識して情報を出力しているわけではないため、「＊」表示に切り替える仕組みを構築することができないという問題がある。
【０００７】
本発明は、多画面表示の一方の画面におけるメッセージ表示を行った際に、メイン画面表示を遮ることなく、メッセージ内容を報知できる技術を提供することである。
【課題を解決するための手段】
【０００８】
本発明の一観点によれば、第１の画面表示と、該第１の表示画面よりも小さい領域で表示する第２の画面表示と、を含む複数の画面を１つの表示部に表示することができる多画面表示機能を備えたテレビジョン受信装置であって、前記第２の画面表示に対してメッセージ表示を行う代わりに、メッセージの重要度を基準にした標識を前記第２の画面表示の領域全体に表示させる標識表示制御部を有することを特徴とするテレビジョン受信装置が提供される。これにより、メッセージ表示の概要を把握することができるとともに、主画面である第１の表示画面の視聴を妨げることがないという利点がある。
【０００９】
前記メッセージと前記標識との対応関係をメモリに保持し、前記標識表示制御部は、前記メモリの対応関係を参照して、追加の操作の必要性を重要度の基準としメッセージに代わる標識を表示させることが好ましい。予め、メッセージと標識との対応をテーブル形式などでメモリに保存しておくことで、標識の選択を迅速に行うことができる。もちろん、一般的な技術において、ある操作とメッセージとは対応関係を有していることが前提となる。
【００１０】
また、前記標識表示制御部は、前記第２の表示画面の縮小率を考慮して、前記メモリの対応関係を参照して、前記第２の表示画面に前記標識を表示するか前記メッセージ表示を行うかを決定することが好ましい。縮小率が小さい（あまり縮小されていない）場合には、メッセージが読みやすいためそのまま表示させ、縮小率が大きい場合には、メッセージが読みにくいため、アイコン表示等を行う。
【００１１】
また、第１の画面表示と、該第１の表示画面よりも小さい領域で表示する第２の画面表示と、を含む複数の画面を１つの表示部に表示することができる多画面表示機能を備えたテレビジョン受信装置と、該テレビジョン受信装置との間でコマンドを双方向通信可能な通信機能と、少なくとも前記第２の画面表示を行わせるための信号を前記テレビジョン受信装置に提供する機能と、を備えた外部機器であって、該外部機器により前記第２の表示画面に表示をさせている場合に、前記第２の画面表示に対してメッセージ表示を行わせる代わりに、メッセージの重要度を基準にした標識を前記第２の画面表示の領域全体に表示させる標識表示制御部を備えた外部機器と、を有することを特徴とする表示システムが提供される。
【００１２】
この際、外部機器側の主導で標識を表示させることができる。これにより、外部機器側で独自に標識の定義・表示制御が可能である。
【００１３】
前記外部機器が、前記通信機能を利用して、前記テレビジョン受信装置に対して前記第２の表示画面の縮小率を問い合わせ、応答された前記縮小率が予め定められた値以下であるか否かを判断し、該縮小率がある値以下である場合には前記第２の表示画面に前記標識を表示させるように指示し、前記縮小率がある値を越えている場合には前記第２の表示画面にメッセージをそのままを表示させるように指示するようにしても良い。
【００１４】
また、前記外部機器が、前記通信機能を利用して、前記テレビジョン受信装置に対して前記第２の表示画面の縮小率を問い合わせ、応答された前記縮小率が予め定められた値以下であるか否かを判断し、該縮小率がある値以下である場合には前記第２の表示画面に前記縮小率に基づいて拡大した文字サイズで前記メッセージを表示させるように指示し、前記縮小率がある値を越えている場合には前記第２の表示画面にメッセージをそのままを表示させるように指示するようにしても良い。
【００１５】
或いは、前記外部機器が、前記通信機能を利用して、前記テレビジョン受信装置に対して、前記第２の表示画面に表示させるエラーの重要度を通知し、該通知を前記テレビジョン受信装置側で受け取ると、該テレビジョン受信装置側において多画面表示中であるか否かを判定し、多画面表示中である場合には、前記第２の表示画面に前記標識を表示させる制御を行うようにしても良い。
【００１６】
また、前記外部機器が、前記通信機能を利用して、前記テレビジョン受信装置に対して、前記第２の表示画面に表示させるエラーの重要度を通知し、該通知を前記テレビジョン受信装置側で受け取ると、該テレビジョン受信装置側において多画面表示中であるか否かを判定し、多画面表示中である場合において、前記第２の表示画面に表示の縮小率に基づいて拡大した文字サイズで前記メッセージを表示させる制御を行うようにしても良い。
【００１７】
尚、本発明は、上記の他に、以下に記載した表示制御方法、方法をコンピュータに実行させるためのプログラム、このプログラムを記録した記録媒体なども含まれるものである。
【発明の効果】
【００１８】
本発明によれば、小さい方の表示画面側のメッセージの内容を、画面を拡大することなく、かつ、大きい方の画面側の視聴を妨げることなく通知することができるという利点がある。
【００１９】
また、外部入力機器の画面が小さい方の子画面として縮小されている場合に、外部機器が縮小状態に合わせて見やすい大きさでエラーメッセージをアイコン出力することで内容を通知することができる。
【００２０】
さらに、外部入力機器の画面が子画面として縮小されている場合に、テレビジョン受信装置側でエラーメッセージをアイコン出力することで内容を通知することができる。この場合、外部入力機器の機種にかかわらず、テレビジョン受信装置側のアイコンのデザインで通知されるため、利用者は各機種のアイコンの意味を覚える必要がなく、アイコンの意味を理解しやすくなるという利点がある。
【発明を実施するための最良の形態】
【００２１】
ＰｉｎＰとは、Picture in Picture の略であり、テレビジョン受信装置などの表示画面の中に、さらに小さい画面を表示させるものである。例えば、一方の画面には、チューナにより選局されたテレビ放送に基づく映像を画面表示させ、他方の画面には、例えばレコーダなどからの外部入力端子から取得したコンテンツを画面に表示させるのが一般的である。また、多画面機能を有するテレビジョン受信装置では、画面分のチューナを有しており、これらのチューナからの異なる画像と音声とを合成して１つの表示部に表示させている。
【００２２】
以下、本発明の一実施の形態によるテレビジョン受信装置について図面を参照しながら説明を行う。図１は、本実施の形態によるテレビジョン受信装置の一構成例を示す機能ブロック図である。図１に示すように、本実施の形態によるテレビジョン受信装置Ａは、アンテナＡＴと、それぞれにチューナを含むフロントエンド１ａ・１ｂと、デマルチプレクサ３ａ・３ｂと、映像・音声デコーダＡ５ａ・Ｂ５ｂと、を有している。これにより、２種類の放送を同時に受信し、独立して画像処理を行うことができる。これらの２系統のデコードされた映像信号と音声信号とは、それぞれ画面合成部１７と、音声切り換え部３３とにより制御されて、表示部２１と、音声出力部Ａ７ａ及びＢ７ｂに出力される。
【００２３】
さらに、テレビジョン受信装置Ａには、全体を制御する制御部２５と各種情報やアプリケーションプログラム等を記憶するメモリ部２７と、リモコン信号を受光するリモコン受光部２３と、が設けられている。
【００２４】
尚、メモリ部２７には、後述するメッセージに対応するアイコンがメッセージの重要度と対応させて記憶されている。制御部２５に設けられたアイコン表示制御部２５ａからの重要度情報を含む指示に基づいて、メモリ部２７のアイコン表示制御部２７ａを検索し、適切なアイコンを選択して子画面に表示する制御を行う。
【００２５】
【表１】
0005059549.tif 000002
【００２６】
表１は、メッセージの例として、エラーメッセージを表示する場合における、エラーメッセージの重要度の例を示すテーブルである。表１に示す例では、視聴者が内容を確認する必要性及び追加の操作を必要とするか否かを基準として重要度を定めている。表１では、重要度の例として、重要度0は、操作が成功した場合や、内容の確認が不要な場合である。アイコンとしては、操作装置であるリモコン装置そのものが示され、特に他の表示がなされていない。このアイコンにより、操作が行われた旨をユーザに通知することができるが、ユーザに特にアクションを起こさせるような表示はされていない。
【００２７】
重要度１は、操作が禁止される旨を報知するものであり、道路標識に沿って、操作装置であるリモコン装置に禁止の印が重ねられている。このアイコンが表示されるのは、誤って操作した場合であるが、その操作は単に無効であるだけで特に何ら問題がなく、内容の確認不要なことを示すものである。
【００２８】
重要度２は、操作が不要な案内を示すものであり、その意味で、操作装置であるリモコン装置がアイコンから除かれている。例えば、予約の開始、番組情報更新などを報知するものであり、表示理由が不明で知りたい場合のみ拡大すればよい。尚、ある程度の大きさまで子画面を拡大する操作を行うと、アイコン表示から自動的に実際のエラーメッセージに切り替わるように表示制御されるように構成しても良い。拡大する操作が、ユーザがエラーメッセージの詳細を知りたいという意思表示と解釈することができるからである。
【００２９】
重要度３は、操作が可能な案内であり、予約の手動解除、映像切替などが行われた旨の表示である。操作装置による操作を行うか否かに関して、「はい」、「いいえ」などを選ぶことができる案内である。尚、この案内を無視しても、特に装置に問題が生じるほどではない程度の重要度である。
【００３０】
重要度４は、緊急に操作が必要なことを警告するためのエラーメッセージであり、受信不可、予約録画失敗などの内容が含まれる。このような場合には、すぐに内容を確認し、視聴者が対処しなければならないことを示すアイコンが表示される。この場合には、アイコンではなく、画面を自動的に大きくして、エラーメッセージを表示するようにしても良い。
【００３１】
尚、表１のアイコンやエラーメッセージはユーザ操作の必要性の高低に基づくアイコン表示の一例であり、他の重要度の基準を用いたり、他のアイコンの種別を用いても良い。
【００３２】
図２は、表示部２１のうちの子画面３１にエラーメッセージに変わるアイコンが表示されている例を示す図である。図２Ａ（ａ）では、表示部２１の子画面３１に、表１の重要度４のエラーアイコン３３が表示されており、ユーザに緊急な操作の必要性があることを知らせている。図２Ａ（ｂ）では、子画面３１いっぱいに、重要度１のアイコンが表示されており、禁止された操作を行ったことを注意するだけで特別な操作を必要としないアイコンが表示されている。アイコンであれば、子画面全体に表示することで、子画面が小さい場合でもユーザが認識することができる。
【００３３】
このように、ＰｉｎＰの子画面側に対してエラーメッセージ表示が必要となった場合に、通常のエラーメッセージ表示の代わりに、子画面全体に大きくアイコン表示を行うことで、親画面をさえぎらずに見やすいエラーメッセージ表示を行うことができる。また、エラーメッセージの重要度(ユーザ操作の必要性)に対応して、表示するアイコンを変更する。これにより、利用者はエラーメッセージの文章なしでもエラーの内容がある程度把握でき、確認のために全画面表示をしなくて良い。ＰｉｎＰ処理中に、エラーメッセージを見やすい形で表示することができる上に、ＰｉｎＰをわざわざ解除しなくても、エラー内容をある程度知ることができるという利点がある。
【００３４】
次に、システム構成の異なる２種類のケースについて、上記の技術を適用した例について説明する。図３Ａは、外部機器、例えばＤＶＤ（又はＨＤＤ）レコーダ４１がエラー表示に関する表示制御を行う例を示す図である。図３に示す構成例では、外部（入力）機器４１とテレビジョン受信装置（ＴＶ）ＡとをＨＤＭＩ規格に基づくＨＤＭＩケーブルで接続した例を示している。外部（入力）機器４１とテレビジョン受信装置Ａとは、ＣＥＣのベンダ定義コマンドを利用して通信を行うことができるように構成されていることを前提とする。映像信号は外部機器４１からＴＶ（Ａ）に送信し、制御信号を外部機器４１とＴＶ（Ａ）との間でやり取りする。制御信号は、ベンダ側（メーカー側）において独自に定義することが可能である。この場合においても、外部機器４１からの出力信号４１ａに基づくエラーメッセージ４１ｂが、ＴＶ（Ａ）において子画面表示３１されている場合に、エラーメッセージ３５も縮小されているため、読みづらくなる。そこで、ＰｉｎＰ表示処理時において、メーカー定義の信号を送ることにより、外部機器４１のエラーメッセージ表示を改善することができる。
【００３５】
図３Ａに示す構成に基づくより具体的な処理について、図４を参照しながら説明する。図４に示すように、外部機器４１側においてＰｉｎＰ表示処理を開始した時に（ステップＳ１）、画面の縮小率を外部機器４１からＴＶ（Ａ）に対して問い合わせる（ステップＳ２）。これに応じて、ＴＶ（Ａ）から子画面となる外部機器４１に画面の縮小率をＨＤＭＩのＣＥＣコマンドにより通知する（ステップＳ３）。外部機器４１は、ステップＳ３において通知された縮小率に合わせて、通常のエラーメッセージ表示の代わりに子画面で認識できる大きさのアイコンに変更してエラーメッセージを表示する。ここで、ステップＳ４において、通知された縮小率が一定値以下である場合には（ステップＳ４でＹ）、文字が小さくなって見づらいと判断されるため、ステップＳ５に進み子画面全体に重要度に対応するアイコンを表示させる。一方、ステップＳ４において、通知された縮小率が一定値より大きい場合には（ステップＳ４でＮ）、ある程度大きな文字で表示されると判断されるため通常のエラー表示を行わせる。尚、重要度にあわせたアイコン選択の仕組みに関しては上述のようなＴＶ単独の場合と同様である。尚、図５に示すように、図４のステップＳ５において画面全体に重要度に対応するアイコンを表示させる代わりに、図５のステップＳ７で示すように、縮小率で除算した文字の大きさで表示させることもできる。この際には、スクロール表示させることが好ましい。
【００３６】
以上に説明した制御方法によれば、外部入力機器側で縮小率にあわせた独自のアイコンを定義したり、表示制御を行うことができ、表示内容の細かい制御を外部機器側で行ったりすることが可能であるという利点がある。
【００３７】
次に、第２のケースについて説明する。図３Ｂに示すように、第２のケースでは、ＴＶ（テレビ）側でエラーメッセージ表示制御を行うものである。図６は、このような処理の流れを示すフローチャート図である。図６に示すように、まず、ステップＳ１１において、外部機器４１側でエラー表示処理を開始し、ステップＳ１２においてエラーの重要度をＴＶ（Ａ）に知らせ、ステップＳ１３において、通常のエラー表示（図３Ｂに示すように、エレーメッセージ４１ｂが外部機器の出力信号４１ａとして子画面３１に表示される）を行う。
【００３８】
次いで、ステップＳ１４において、ＴＶ（Ａ）側でＰｉｎＰ中であるか否かを判定する。ＰｉｎＰ中であれば（Ｙ）、ステップＳ１５に進み、子画面全体にメッセージの重要度に対応するアイコン３５を図３Ｂに示すようにエラーメッセージ４１ｂに上書きするように表示する。ステップＳ１４において、ＰｉｎＰ中でなければ（Ｎ）、アイコンを表示せずに、通常のエラー表示となる。
【００３９】
図７に示すように、図６におけるステップＳ１５に代えて、縮小率で除算した大きさでメッセージを表示し、図２Ｂに示すように、メッセージをスクロールさせるようにしても良い。
【００４０】
この方法では、利用者へのアイコン表示がＴＶ側のものに統一されるため、アイコンの意味を覚えやすいという利点がある。
【００４１】
この場合には、テレビ側のエラー表示３５でエラーメッセージ４１ｂが隠れてしまうため、外部機器側のエラー表示は必須ではない。尚、図６における通常のエラー表示を必ず行うことにより、以下のような効果が発揮される。
１）テレビ側がエラー表示対応か非対応かによって、外部機器側のエラー表示処理部を変更する必要がない。従って、開発の手間が少ない。
２）万一、通信などのトラブルによりテレビ側でエラー表示ができなくても、読みにくいとはいえエラー表示がされた状態になる。従って、トラブル時でも、従来技術より悪くはならない。
【００４２】
以上では、機器間通信方法としてＨＤＭＩによる方法を例に説明したが、他の規格であっても良い。また、外部機器は、レコーダ以外の機器、例えばＰＣなどでもよい。ＰＣが子画面になっている場合には、例えばメール着信がアイコン表示されるようにしても良い。
【００４３】
尚、エラーメッセージについては、受信レベル低下、放送終了などの際には、国内規格ARIB TR-B14 第2編,TR-B15第2編においてエラーメッセージを表示することが定められている。例えば、放送休止、受信異常は、ARIB TR-B14,TR-B15 第2編で定義されている。操作時のメッセージとしては、２画面、ＰｉｎＰで禁止されている操作の例(商品に依存する。)として、番組表、設定メニュー表示、データ放送起動などが挙げられる。外部入力ではできない操作(商品に依存)としては、番組情報表示等が挙げられる。
【００４４】
非操作時のメッセージとしては、予約(タイマー)起動、予約完了などが挙げられる。
また、禁止されている操作(商品仕様に依存：例えば外部入力中の「番組表」ボタン)が行われた際には、商品の仕様としてエラーメッセージを表示するようにしているものが一般的である。
【産業上の利用可能性】
【００４５】
本発明は、テレビジョン受信装置に利用可能である。
【図面の簡単な説明】
【００４６】
【図１】本発明の一実施の形態によるテレビジョン受信装置の一構成例を示す機能ブロック図である。
【図２Ａ】表示部のうちの子画面にエラーメッセージに代わるアイコンが表示されている例を示す図である。
【図２Ｂ】表示部のうちの子画面にエラーメッセージがスクロール表示されている例を示す図である。
【図３Ａ】外部機器、例えばＤＶＤ（又はＨＤＤ）レコーダがエラー表示に関する表示制御を行う一構成例を示す図である。
【図３Ｂ】表示機器、例えばテレビ側でエラー表示を行う一構成例を示す図である。
【図４】図３に示す構成における、エラー表示処理の一例を示すフローチャート図である。
【図５】図４のステップＳ５において画面全体に重要度に対応するアイコンを表示させる代わりに、縮小率で除算した文字の大きさで表示させる処理の流れを示すフローチャート図である。
【図６】ＴＶ側でエラーメッセージ表示制御を行う処理の流れを示すフローチャート図である。
【図７】図６におけるステップＳ１５に代えて、縮小率で除算した大きさでメッセージを表示し、スクロールさせる処理の流れを示すフローチャート図である。
【図８】子画面におけるエラーメッセージの一般的な表示例を示す図である。
【符号の説明】
【００４７】
Ａ…テレビジョン受信装置、ＡＴ…アンテナ、１ａ、１ｂ…チューナを含むフロントエンド、３ａ・３ｂ…デマルチプレクサ、５ａ・５ｂ…映像・音声デコーダＡ・Ｂ、１７…画面合成部、２１…表示部、２３…リモコン受光部、２５…制御部、２５ａ…アイコン表示制御部、２７…メモリ部、２７ａ…アイコン表示制御部、３３…音声切り換え部。
【図１】
0005059549.tif 000003
【図２Ａ】
0005059549.tif 000004
【図２Ｂ】
0005059549.tif 000005
【図３Ａ】
0005059549.tif 000006
【図３Ｂ】
0005059549.tif 000007
【図４】
0005059549.tif 000008
【図５】
0005059549.tif 000009
【図６】
0005059549.tif 000010
【図７】
0005059549.tif 000011
【図８】
0005059549.tif 000012